(57)【特許請求の範囲】
【請求項１】
家具本体に間接的または直接的に固定することができ、ハサミのように互いに接続されている複数のリンクレバー（５ａ〜５ｄ）を介して回動可能ドアベアリング（４）に接続されている締結要素（２）を備え、前記リンクレバー（５ａ〜５ｄ）がその上で互いに接続される７本のシャフトを備え、前記ドアベアリング（４）の閉塞動作および開放動作の両方を緩衝するリニアダンパ（６）が設けられている、家具のためのマルチリンクヒンジ（１）であって、
前記リニアダンパ（６）は、前記ドアベアリング（４）の回動範囲の中央部分においては無効であり、
前記リニアダンパ（６）は、前記リンクレバー（５ａ〜５ｄ）のうちの少なくとも１つによって直接的にまたは間接的に作動され、前記少なくとも１つのリンクレバー（５ａ〜５ｄ）は、前記回動範囲の緩衝されない前記中央部分の外側においてのみ、前記リニアダンパ（６）と係合しており、
閉位置において前記マルチリンクヒンジに閉方向の初期張力を与える少なくとも１つの第１のエネルギー貯蔵ユニット（１３）を備え、
前記リニアダンパ（６）をその初期位置に戻して動かす少なくとも１つの第２のエネルギー貯蔵ユニット（１４）を備えたことを特徴とする
マルチリンクヒンジ（１）。
【請求項２】
前記リニアダンパ（６）の作動はたわみレバー（８）を介して間接的に行われる
請求項１に記載のマルチリンクヒンジ（１）。
【請求項３】
前記たわみレバー（８）は、前記締結要素（２）に固定されている別個のシャフト（１２）を備える
請求項２に記載のマルチリンクヒンジ（１）。
【請求項４】
前記リニアダンパ（６）を直接的にまたは間接的に作動させる前記少なくとも１つのリンクレバー（５ａ〜５ｄ）は、前記リニアダンパ（６）の前記作動のための少なくとも１つの駆動体（１１、１１’）を備える
請求項２または３に記載のマルチリンクヒンジ（１）。
【請求項５】
前記駆動体（１１、１１’）のうちの少なくとも１つは、前記リンクレバー（５ａ〜５ｆ）上に一体的に形成される
請求項４に記載のマルチリンクヒンジ（１）。
【請求項６】
前記駆動体（１１、１１’）のうちの少なくとも１つは、作動要素（１０、１０’）上に形成され、前記作動要素（１０、１０’）は前記リンクレバー（５ａ〜５ｄ）に固定されている
請求項４または５に記載のマルチリンクヒンジ（１）。
【請求項７】
前記作動要素（１０、１０’）は、前記リンクレバー（５ａ〜５ｄ）のうちの１つに解放可能に固定されている
請求項６に記載のマルチリンクヒンジ（１）。
【請求項８】
２つの異なるリンクレバー（５ａ〜５ｄ）に固定される２つの作動要素（１０、１０’）が設けられ、第１の前記作動要素（１０）は、前記閉塞動作の間に前記リニアダンパ（６）を直接的にまたは間接的に作動させ、第２の前記作動要素（１０’）は、前記開放動作の間に前記リニアダンパ（６）を直接的にまたは間接的に作動させる
請求項６または７に記載のマルチリンクヒンジ（１）。
【請求項９】
前記駆動体（１１、１１’）のうちの少なくとも１つは、制御カムとして構成されている
請求項４〜８のいずれか一項に記載のマルチリンクヒンジ（１）。
【請求項１０】
前記閉塞動作の前記緩衝は、開放角度が５０°未満であるときに有効である
請求項１〜９のいずれか一項に記載のマルチリンクヒンジ（１）。
【請求項１１】
前記開放動作の前記緩衝は、最大で前記マルチリンクヒンジ（１）の前記最大開放角度よりも３５°小さい開放角度において有効である
請求項１〜１０のいずれか一項に記載のマルチリンクヒンジ（１）。
【請求項１２】
前記回動範囲の前記中央部分は、少なくとも３０°および好ましくは少なくとも６０°の角度範囲にわたってのびる
請求項１〜１１のいずれか一項に記載のマルチリンクヒンジ（１）。
【発明の詳細な説明】
【技術分野】
【０００１】
本発明は、家具本体に間接的または直接的に固定することができ、ハサミのように互いに接続されている複数のリンクレバーを介して回動可能ドアベアリングに接続されている締結要素を備え、ドアベアリングの閉塞動作および開放動作の両方を緩衝するリニアダンパが設けられる、家具のためのマルチリンクヒンジに関する。
【０００２】
マルチリンクヒンジは、家具ドア、特にキッチン家具ドアに使用されることが多い。  
ヒンジをマルチリンクヒンジとして構成することによって、たとえば、互いに隣接して配置されているいくつかのドアの閉じた正面からドアを開くために、特に、上記ドアを隣接したドアにぶつかることなく９０°よりも大きく開くことを可能にするために、回動と枢動とを組み合わせた動作を可能にする。  
そのようなマルチリンクヒンジには、閉位置においてヒンジに初期張力を与え、これにより、ドアを堅固で平らに閉じておくことをサポートするために、バネを設けられていることが多い。
【０００３】
そのようなマルチリンクヒンジでは、締結部分に配置されているドアが、たとえバネによって支持されているため、制御不能に急に閉じる可能性があるという不都合がある。
【０００４】
この効果を防止するために、一体型リニアダンパを有するマルチリンクヒンジが特許文献１から公知であり、これによって、マルチリンクヒンジの閉塞動作が緩衝される。
【０００５】
マルチリンクヒンジを介して連結されている家具ドアが、最大開放角度まで開かれると、ドア、またはヒンジ内の構成要素、たとえば、リンクレバーが、制動されずに戸当たりにぶつかる。  
これによって、材料に強い負荷がもたらされ、最悪の場合には、ヒンジまたはマルチリンクヒンジと家具本体または家具ドアとの間の接続部が破壊される可能性がある。
【０００６】
これを防止するために、リニアダンパすなわち回転ダンパが、閉塞動作および開放動作の両方を緩衝するマルチリンクヒンジが、特許文献２から公知である。  
ダンパは、リンクレバーのうちの少なくとも１つと相互作用する。上記相互作用は、閉塞動作および開放動作の両方の間に、特定の開放角度から、その開放角度の半分の範囲内で、ダンパが実効的に作動されるように構成されている。  
したがって、緩衝装置は最終的に、開放角度全体にわたって作動し、これによってドアが中間の開放角度範囲内で動いている間に異常な作動を検知することが可能になり得る。
【先行技術文献】
【特許文献】
【０００７】
【特許文献１】独国実用新案第２０２００７００４６２１号明細書
【特許文献２】欧州特許出願公開第２０９３３６１（Ａ２）号明細書
【発明の概要】
【発明が解決しようとする課題】
【０００８】
それゆえ、本発明の目的は、リニアダンパを用いて開放動作および閉塞動作の両方を緩衝する、上述した種類のマルチリンクヒンジを提供することであり、マルチリンクヒンジによって連結されたドアの動作は、中間の動作角度範囲内で可能な限り自由に行うことができる。
【課題を解決するための手段】
【０００９】
この目的は、独立請求項の特徴を有するマルチリンクヒンジによって達成される。  
有利な実施形態およびさらなる発展形態は、従属請求項の主題である。
【００１０】
本発明による上述した種類のマルチリンクヒンジは、リニアダンパが、ドアベアリングの回動範囲の中央部分では無効であることを特徴とする。  
リニアダンパがその中で閉塞動作を緩衝する、ヒンジの第１の開放角度を下回る回動範囲の一部分、および、リニアダンパがその中で開放動作を緩衝する、第２の開放角度を上回る回動範囲の一部分が設けられる。  
リニアダンパがその中では無効であり、取り付けられた家具ドアが自由に動くことができる中央部分は、本発明によれば、リニアダンパが有効である上記２つの部分の間に位置付けられる。  
結果として、家具ドアは、ユーザによって直感的に予測もされるように、回動範囲の上記中央部分の中で円滑に動くことができる。
【００１１】
マルチリンクヒンジの有利な実施形態において、リニアダンパは、リンクレバーのうちの少なくとも１つによって直接的にまたは間接的に作動され、少なくとも１つのリンクレバーは、回動範囲の緩衝されない中央部分の外側においてのみ、リニアダンパと係合している。  
間接的な作動は、レバーの動作を介して行うことができる。  
リンクレバーによってリニアダンパを作動することによって、緩衝機構がヒンジ内に非常に良好に一体化され得ることが保証される。  
リンクレバーを中央部分の外側にのみ結合することによって、家具ドアの自由な可動性がもたらされる。
【００１２】
リニアダンパを作動させる少なくとも１つのリンクレバーは好ましくは、リニアダンパを作動させるための少なくとも１つの駆動体を備える。  
駆動体は、リンクレバーと一体的に形成することができ、これによって設計を単純にすることが可能になる。  
駆動体は、代替的に、リンクレバーに固定されている作動要素上に形成されてもよい。  
駆動体は、特に好ましい方法ではリンクレバーに解放可能に固定され、その結果として、所望の緩衝機能を容易に組み込むことができ、または、望ましくない緩衝機能をユーザによって再び除くこともできる。
【００１３】
さらに好ましくは２つの作動要素が設けられ、それらの２つの異なるリンクレバーに固定され、第１の作動要素は、閉塞動作の間にリニアダンパを直接的にまたは間接的に作動させ、第２の作動要素は、開放動作の間にリニアダンパを直接的にまたは間接的に作動させる。  
結果として、この駆動体の構成を通じて異なる緩衝機能（閉塞および開放の間）が個々に影響され得る。  
緩衝の特性に対する影響は、駆動体が制御カムとして構成されるように生じ得る。
【００１４】
マルチリンクヒンジのさらなる有利な実施形態において、マルチリンクヒンジは、閉位置においてマルチリンクヒンジに初期張力を与える第１のエネルギー貯蔵ユニットおよび／またはリニアダンパをその初期位置に戻して動かす第２のエネルギー貯蔵ユニットを備える。  
第１のエネルギー貯蔵ユニットは、家具ドアが完全に閉じることを保証する。  
第２のエネルギー貯蔵ユニットは、リニアダンパが解放後にその初期位置をとり、さらなる緩衝過程のための準備ができることを保証する。  
第１のエネルギー貯蔵ユニットおよび第２のエネルギー貯蔵ユニットが存在する場合、第２のエネルギー貯蔵ユニットが開放方向において生成する力成分は閉塞方向における第１のエネルギー貯蔵ユニットのものよりも小さく、したがって、第１のエネルギー貯蔵ユニットの機能が、第２のエネルギー貯蔵ユニットの存在によって損なわれないことが保証される。
【００１５】
マルチリンクヒンジのさらなる有利な実施形態において、閉塞動作の緩衝は、５０°未満の開放角度において有効であり、開放動作の緩衝は、最大でマルチリンクヒンジの最大開放角度よりも３５°低い開放角度において有効である。  
さらなる好ましい態様において、回動範囲の中央部分は、少なくとも３０°および好ましくは少なくとも６０°の角度範囲にわたってのびる。  
これらの実施形態において、回動範囲の緩衝されない中央部分は、いずれにせよ、家具ドアの予測される動作挙動が開放および閉塞中にもたらされるのに十分に大きい。
【００１６】
マルチリンクヒンジのさらなる有利な実施形態において、マルチリンクヒンジは、その上でリンクレバーが互いに接続される７本のシャフトを備える、すなわち、７シャフトヒンジが形成される。
【００１７】
下記において、８つの図面に示されている２つの実施形態を参照することによって、本発明を説明する。
【図面の簡単な説明】
【００１８】
【図１】複数の異なる開放位置のうちの１つにある第１の実施形態におけるマルチリンクヒンジを示す図である。
【図２】複数の異なる開放位置のうちの１つにある第１の実施形態におけるマルチリンクヒンジを示す図である。
【図３】複数の異なる開放位置のうちの１つにある第１の実施形態におけるマルチリンクヒンジを示す図である。
【図４】複数の異なる開放位置のうちの１つにある第１の実施形態におけるマルチリンクヒンジを示す図である。
【図５】複数の異なる開放位置のうちの１つにある第２の実施形態におけるマルチリンクヒンジを示す図である。
【図６】複数の異なる開放位置のうちの１つにある第２の実施形態におけるマルチリンクヒンジを示す図である。
【図７】複数の異なる開放位置のうちの１つにある第２の実施形態におけるマルチリンクヒンジを示す図である。
【図８】複数の異なる開放位置のうちの１つにある第２の実施形態におけるマルチリンクヒンジを示す図である。
【発明を実施するための形態】
【００１９】
以下に説明されている図１〜図８の図解は、各々が概略断面図において、本発明によるマルチリンクヒンジの２つの実施形態を示す。  
すべての図解において、同じ参照符号は、同様のまたは同様に機能する要素に関係する。
【００２０】
図１〜図４はマルチリンクヒンジの第１の実施形態を示し、下記においては単純にするためにこれをヒンジ１と称する。  
図１において、ヒンジ１は閉位置において示されており、図２においては約９０°の開放角度を有する中央開放位置にあり、図３においては約１３０°の開放角度であり、図４においては１６５°の最大開放角度である。
【００２１】
ヒンジ１は、家具本体に固定することができる締結要素２を備える。  
この目的のためにラッチ手段３が締結要素２上に設けられ、ラッチ手段３は、ここでは図示されていない締結プレートに掛けることができ、ネジによって家具本体に固定することができる。  
ヒンジ１は、家具本体に接続可能であるドアベアリング４をさらに備える。  
ドアベアリング４は従来は、ポットベアリングとして構成されている。  
たとえば、家具ドアにネジ止めするための代替的な実施形態が可能である。
【００２２】
ドアベアリング４は、ヒンジ１が作動すると上記締結要素に対して回転と回動とを組み合わせた動作を実施するように、複数の異なるリンクレバー５ａ〜５ｆを介して締結要素２に接続されている。  
締結要素２は、ほぼＵ字形状に構成されており、締結プレート（図示せず）の方向に開いている。
【００２３】
リニアダンパ６が閉鎖領域内に配置されており、ダンパロッド７がシリンダ内に進む。  
シリンダは、ダンパロッド７とは反対に向いている端部において締結要素２に回動可能に接続されている。  
ダンパロッド７は、リニアダンパ６のシリンダ内に進むときに緩衝を受ける。
【００２４】
締結要素２上にレバーキネマティックシステム８がさらに配置されており、キネマティックシステムは、最も単純な事例では、シャフトおよびレバーリムを備える。  
本発明の事例において、レバーキネマティックシステム８は、実質的にＬ字形状のたわみレバーの形態で使用される。  
ダンパ動作とリンクレバー動作との間の結合を一時的に生成するために、使用されるダンパ（引きダンパもしくは圧力ダンパ）またはヒンジ構成に応じて、いくつかのレバーおよびシャフトを有するレバーキネマティックシステム８が必要とされ得る。
【００２５】
ダンパロッド７はその端部において、たわみレバーのリムに接続される。  
たわみレバーはまた、締結要素に回動可能に取り付けられ、ここには第２のエネルギー貯蔵ユニット１４（この事例においては脚バネ）が設けられ、第２のエネルギー貯蔵ユニット１４は、たわみレバーに対して、たわみレバーの第２の自由リムが力を受けていないときに、ダンパロッド７がリニアダンパ６のシリンダを出て進むように作用する。
【００２６】
ローラ９または代替的に突出しているクロスボルトがたわみレバーの自由リムに取り付けられている。  
上記たわみレバーがローラ９またはクロスボルト上のその自由端において、締結プレートの方向に（図面では下向きに）動かされる場合、ダンパロッド７はリニアダンパ６のシリンダ内に進む。
【００２７】
家具ドアの閉塞動作中に緩衝効果をもたらすために、第１の作動要素１０がリンクレバー（５ａ〜５ｄ）のうちの１つ、この事例においてはリンクレバー５ｄに取り付けられ、第１の作動要素１０は、ヒンジ１の特定の開放角度より下でたわみレバーのローラ９と係合する駆動体１１を備える。  
例示の実施形態でも実装されている最も単純な事例では、駆動体１１は制御カムとして形成される。  
閉塞緩衝の開始点およびその力の進行の両方が、制御リムの形状によって決定され得る。  
閉塞動作の開始点は、閉塞動作中に、柔軟なレバーの回転動作、したがって、ダンパロッド７の動作、ひいては有効な緩衝がそこから始まる、ヒンジの開放角度を特徴付ける。  
ローラ９は、たとえば、図２の約９０°の開放位置に見てとれるように、上記開放角度より上では制御カムに接触しない。  
ヒンジ１の代替的な実施形態において、駆動体１１はまた、緩衝されるべき開放および閉塞範囲においてレバーキネマティックシステム８に一時的に接続する結合機構から構成されてもよい。
【００２８】
家具ドアが閉塞緩衝の上記開始点を超えて開くと、家具ドアはその後、回動範囲の中央部分において対応して自由に動き得る。  
上記中央部分は、数十度にわたって、本事例においては６０°を超えてのびる。
【００２９】
家具ドアのさらなる開放の間、例示の事例においては最大開放位置の前の約３５°にある開放角度において、開放緩衝が開始する。  
図３は、開放緩衝が開始したばかりの開放角度にあるヒンジ１を示す。
【００３０】
開放緩衝もまた、リニアダンパ６によって実現される。この目的のために、本事例においてはリンクレバー５ｂに固定されている第２の作動要素１０’が設けられる。  
上記第１の作動要素１０’は、この事例においては、開放緩衝のための開始角度においてローラ９と接触するとともに、上記ローラを、閉塞動作に対する緩衝の事例のように、ヒンジ１の締結プレートの方向に（図面では下向きに）動かす制御カムとして同じく構成される駆動体１１’を備え、これによって、ダンパロッド７はリニアダンパ６のシリンダ内に動かされる。  
例示の事例において、このさらなる制御カムは実質的に直線状である。  
第２の作動要素１０’のたわみレバーとの相互作用の結果として、図４に示すように、この事例において緩衝は約１６５°の最大開放位置まで達成される。
【００３１】
閉塞および開放緩衝のための作動要素１０および１０’は、好ましくは異なるリンクレバー５ａ〜５ｆ上に配置される。  
リンクレバーの動作が適切である場合、両方の作動要素１０および１０’をこの１つのリンクレバー上に配置することも可能である。
【００３２】
図５〜図８は、図１〜図４に表されているマルチリンクヒンジ１の代替的な実施形態を示す。  
これらの図面に示されているマルチリンクヒンジ１は、その基本構成に関して、図１〜図４に示すものと異なっていない。
【００３３】
ヒンジ１はここでも、複数の異なる開放位置において示されている。  
ヒンジ１は、図５では閉位置で示されており、図６では、約９０°の開放角度で中央開放位置にあり、ローラ９は制御カム１１および１１’のいずれとも接触していない。  
図７は、約１３０°の開放角度にあるヒンジ１を示し、図８では、１６５°の最大開放角度にある。
【００３４】
図１〜図４の実施形態とは対照的に、マルチリンクヒンジ１の開放中、リニアダンパ６がそれによって作動されるさらなる作動要素１０’の形状は、この事例においては異なっている。  
さらなる作動要素１０’は、両方の事例において、単純に、好ましくは工具を用いずに組み込むことができるように形成されている。  
第２の作動要素１０’は、たとえば、プラスチックから作製される一体成形部品であり、対応するリンクレバー５ｂ上にまたはその中にスナップ方式で留めることができる。  
リンクレバー内の開口または同じく挿入される回転シャフトも、固定に使用することができる。
【００３５】
代替的な実施形態において、作動要素１０および／または１０’を対応するリンクレバー５ａ〜５ｄに堅固に接続することも可能である。  
リンクレバー５ａ〜５ｄを作動要素１０および／または１０’自体として使用することも可能であり、ここで、駆動体１１または１１’のそれらの表面または端部のうちの１つが制御カムとして構成される。
【符号の説明】
【００３６】
１  マルチリンクヒンジ
２  締結要素
３  ラッチ手段
４  ドアベアリング
５ａ〜５ｄ  リンクレバー
６  リニアダンパ
７  ダンパロッド
８  レバーキネマティックシステム
９  ローラ
１０，１０’  作動要素
１１，１１’  駆動体
１２  シャフト
１３  第１のエネルギー貯蔵ユニット
１４  第２のエネルギー貯蔵ユニット
【図１】
0006412885.tif 000002
【図２】
0006412885.tif 000003
【図３】
0006412885.tif 000004
【図４】
0006412885.tif 000005
【図５】
0006412885.tif 000006
【図６】
0006412885.tif 000007
【図７】
0006412885.tif 000008
【図８】
0006412885.tif 000009